(57)【要約】      （修正有）【課題】簡便に氷を用いて、「オン・ザ・ロックス」でアルコール飲料を飲むことができるようにするアルコール飲料セットを提供すること。【解決手段】一方端９が開放端となると共に他方端１１に凹部１３が形成された中空のカップ本体３と、前記開放端側から収納される氷５と、前記凹部１３に収容されるアルコール飲料容器７とからなる。【選択図】図１
2007302297.tif 000002
【特許請求の範囲】
【請求項１】
一方端が開放端となると共に他方端に凹部が形成された中空のカップ本体と、
前記開放端側から収納される氷と、
前記凹部に収容されるアルコール飲料容器とからなることを特徴とするアルコール飲料セット。
【請求項２】
前記凹部は中空円柱形状であることを特徴とする請求項１に記載のアルコール飲料セット。
【請求項３】
前記開放端は所定の密封部材で密封されていることを特徴とする請求項１又は２に記載のアルコール飲料セット。
【請求項４】
前記カップ本体と前記アルコール飲料容器とがシュリンクフィルムによって包装されていることを特徴とする請求項１〜３の何れか一項に記載のアルコール飲料セット。
【請求項５】
前記アルコール飲料容器には蒸留酒が収容されていることを特徴とする請求項１〜４の何れか一項に記載のアルコール飲料セット。
【請求項６】
前記氷は、前記カップ本体の底に接触しない大きさであることを特徴とする請求項１〜５の何れか一項に記載のアルコール飲料セット。
【発明の詳細な説明】
【技術分野】
【０００１】
本発明は、アルコール飲料セットに係り、特に、氷を用いて「オン・ザ・ロックス」でアルコール飲料を飲む場合に簡便なアルコール飲料セットに関する。
【背景技術】
【０００２】
従来から、アルコール飲料と、これを飲むための容器をセットにしたアルコール飲料セットとしてはいくつか提案されている。第１の例としては、ウィスキーボトルと水割り用容器と割り水をセットとして包装したものである(特許文献１参照。）。また、第２の例としては、酒類と、容量表示目盛り付容器と、果実の包装体をセットとして包装したものである（特許文献２参照）。更に、第３の例としては、酒類と容器とをシュリンクパックしたものである（特許文献３参照。）。
【特許文献１】実開平５−６７２号
【特許文献２】特開２００２−１８６４７７号
【特許文献３】特開２００３−５４６３６号
【発明の開示】
【発明が解決しようとする課題】
【０００３】
しかしながら、上記各従来例は、以下のような問題点を有している。即ち、上記各従来例は、単に酒類や割り水或いは果実などをセットとして包装しているに過ぎない。このため、酒類を「オン・ザ・ロックス」として楽しむことはできない。ここで、「オン・ザ・ロックス」とは、グラスに氷を２〜３個入れて酒を注ぐ飲み方のことを指す。美味しい「オン・ザ・ロックス」を作るには、大きめのカドが少ないカチ割り氷を用いることが望ましく、酒類が一番薄まりにくい飲み方を希望するのであれば、氷の表面積が最小である球状の氷を用いることもある。即ち、上記各従来例で、「オン・ザ・ロックス」を楽しむには、氷を別途用意しなければならず、また通常市販されている氷は、そのサイズも様々である為、所望するサイズの氷を別途用意することは煩雑であり、また、市販されている氷は通常大きな包装袋に大量に収容されている為、容器1杯程度の酒類を飲む場合には、使用しない氷が無駄になってしまう。そもそも、上記各従来例では、液体飲料を、注ぎ込む部分にアルコール飲料容器としてのウイスキーボトルや割り水用容器などが収納されるため、開封する部分に異物が残ってしまう可能性もある。そこで、本発明者は、鋭意研究を重ねた結果、カップ本体の開放端の他端側に凹部を形成し、この凹部に、酒類が収容されたアルコール飲料容器を収容することにより、「オン・ザ・ロックス』を楽しむのに適したサイズの氷を、酒類とセットで、冷蔵庫内にコンパクトに収容し販売することができるとの考えの下、本発明を完成するに至った。即ち、本発明は、「オン・ザ・ロック」を楽しむことができるアルコール飲料セットの販売を可能にすることを課題とする。
【課題を解決するための手段】
【０００４】
上記した課題を解決するために、本願発明に係るアルコール飲料セットでは、一方端が開放端となると共に他方端に凹部が形成された中空のカップ本体と、前記開放端側から収納される氷と、前記凹部に収容されるアルコール飲料容器とからなる、という構成を採っている。
【０００５】
また、前記凹部は中空円柱形状である、という構成を採っている。
【０００６】
また、前記開放端は所定の密封部材で密封されている、という構成を採っている。
【０００７】
また、前記カップ本体と前記アルコール飲料容器とがシュリンクフィルムによって包装されている、という構成を採っている。
【０００８】
また、前記アルコール飲料容器には蒸留酒が収容されている、という構成を採っている。
【０００９】
更に、前記氷は、前記カップ本体の底に接触しない大きさである、という構成を採っている。
【発明の効果】
【００１０】
本発明に係るアルコール飲料セットにより、別途、氷を用意することなく、「オン・ザ・ロックス」として酒類を楽しむことができる。また、「オン・ザ・ロックス」を楽しむのに望ましい、カドが少ないカチ割り氷を予めセットとして提供をすることができる。また、アルコール飲料容器の収納部と飲料注入部が完全に分離されているので、飲料注入部への異物の残留などの問題も生じない。更には、冷蔵庫に収容して販売することができる。
【発明を実施するための最良の形態】
【００１１】
図を参照しながら、本発明の一実施形態について説明する。図１は、本実施形態に係るアルコール飲料セット１を示す図であり、図１（Ａ）は平面図を示し、図１（Ｂ）は図１（Ａ）のｂ−ｂ線における縦断面図を示している。
【００１２】
図１から明らかなように、本実施形態のアルコール飲料セット１は、全体として飲料用カップのような逆円錐台形状をしている。そして、アルコール飲料セット１は外形が逆円錐台形状のカップ本体３と、このカップ本体３の内部に収納されている氷５及びアルコール飲料容器７とからなり、これらがセットとしてシュリンクフィルム８でパックされている。但し、カップ本体３は単純な円筒形状でもよいし、円錐台形状でもよい。或いは四角柱形状やその他の多角形形状でもよい。
【００１３】
カップ本体３は一方端（図１では上端）９の全体が開放端となっており、この開放端９から氷５が収納されている。一方、カップ本体３の他方端（図１では底面）１１の中央部には略円柱形状の凹部１３が形成されている。そして、この凹部１３にはアルコール飲料容器７が収納されている。カップ本体３の材質は様々なものが考えられるが、具体的にはプラスチックや紙などが最適である。プラスチックを用いる場合には、透明な材料を選択することで、購買者に中身を見せることもできる。上記凹部１３の形状は円柱状でなくてもよく、アルコール飲料容器７が収容できる形状であればよい。
【００１４】
アルコール飲料容器７にはアルコール飲料が収容され、キャップ等で閉止されたものであり、いわゆるミニチュアボトルと呼ばれる小容量の容器である。ここで言うアルコール飲料とは、氷と共に０℃以下の冷蔵庫内に収容されて販売されるものであるので、ウィスキーやスピリッツ類等の蒸留酒であって、アルコール度数が高いものが好ましい。アルコール度数は、好ましくは２５％以上であり、より好ましくは３０％以上であり、更に好ましくは４０％以上である。カップ本体３の凹部１３は、アルコール飲料容器７の高さや直径に対応した寸法となっている。このアルコール飲料容器７は、アルコールが収容できるものであれば、その形状、材質等は問わない。
【００１５】
また、開放端９に密封部材（図示略）を貼り付けて、その上からシュリンクフィルム８で包装することも有利である。予め密封部材を貼り付けることにより、シュリンクフィルム８を剥がした場合でも、カップ本体３の内部の氷が飛び出さないからである。
【００１６】
次に、上記した本実施形態のアルコール飲料セット１の使用方法について説明する。当該アルコール飲料セット１は内部に氷５が収容されているため、冷蔵庫などに収納されて販売される。ウィスキーなどのアルコール飲料はアルコールが含まれており融点が水よりも低いので、０℃以下の温度に保っても凍ることはない。
【００１７】
本発明で用いる氷５は、「オン・ザ・ロックス」を楽しむのに好適な大きさの氷であり、具体的には氷５がカップ本体３の底に接触しない大きさである。このような目的を実現するためには、カップ本体３における底の隙間（円筒状凹部１３の壁とカップ本体３の外壁との隙間）よりも氷５の最小厚さが厚ければよい。こうすることで、氷５はカップ本体３の底に接触する前に両壁面に接触して途中で止まる。尚、氷５の形状は様々なものが考えられるが、カドが少ないカチ割り氷が好適であるが、丸い氷であってもよい。尚、氷５は図１（Ｂ）に示すように、細長い氷を用いてその上端部がカップ本体３の上端部近傍にまで到達するような寸法とすることも望ましい。こうすることで、氷５の上端部がアルコール飲料の面から飛び出し、氷５を目でも楽しめるからである。
【００１８】
そして、購入者は、先ず外部のシュリンクフィルム８を剥がす。この段階で、凹部１３からアルコール飲料容器７を取り出すことが可能となる。一方、開放端９に密封部材が貼り付けられている場合には、シュリンクフィルムを剥がしても氷が内部から飛び出すことはない。次に、開放端９の密封部材を剥がす。そして、アルコール飲料容器７内のアルコール飲料を開放端９から注ぐ。これにより、ウィスキーなどのアルコール飲料を「オン・ザ/ロックス」で飲むことが可能となる。但し、好みに応じて割り水、ソーダ水等を加え、水割りやソーダ割り等として飲むことも可能である。
【産業上の利用可能性】
【００１９】
アルコール飲料と容器をセットにしたアルコール飲料セットに適用できる。
【図面の簡単な説明】
【００２０】
【図１】本発明の一実施形態に係る飲料セットであり、図１（Ａ）は平面図を示し、図１（Ｂ）は図１（Ａ）のｂ−ｂ線における縦断面図を示す。
【符号の説明】
【００２１】
１  アルコール飲料セット
３  カップ本体
５  氷
７  アルコール飲料容器
８  シュリンクフィルム
９  開放端
１１  他方端
１３  凹部
【図１】
2007302297.tif 000003